【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
無偏光成分の光を照射する無偏光発光部と、
第１の偏光フィルタを介して所定の偏光成分の光を照射する偏光発光部と、
前記無偏光発光部または前記偏光発光部により照射された被写体を第２の偏光フィルタを介して撮像する撮像素子と
を備え、
前記第１の偏光フィルタと前記第２の偏光フィルタの偏光方向は直交関係にあり、
前記撮像素子は、前記無偏光発光部により照射された被写体と、前記偏光発光部により照射された被写体を時分割で撮像し、その結果得られる無偏光画像と直交偏光画像を出力するように構成されている
撮像装置。
【請求項２】
複数の前記無偏光発光部及び前記偏光発光部が、前記撮像素子を中心に、点対称に配置されている
請求項１に記載の撮像装置。
【請求項３】
複数の前記無偏光発光部及び前記偏光発光部が、前記撮像素子を中心に、円環状に配置されている
請求項１または２に記載の撮像装置。
【請求項４】
無偏光成分の光を照射する無偏光発光部と、
第１の偏光フィルタを介して所定の偏光成分の光を照射する偏光発光部と、
前記無偏光発光部または前記偏光発光部により照射された被写体を第２の偏光フィルタを介して撮像する撮像素子とを備え、前記第１の偏光フィルタと前記第２の偏光フィルタの偏光方向が直交関係となっている撮像装置が、
前記無偏光発光部により照射された被写体と、前記偏光発光部により照射された被写体を時分割で撮像し、無偏光画像と直交偏光画像を出力する
撮像装置の撮像方法。
【請求項５】
無偏光成分の光を照射する無偏光発光部と、第１の偏光フィルタを介して所定の偏光成分の光を照射する偏光発光部と、前記無偏光発光部または前記偏光発光部により照射された被写体を第２の偏光フィルタを介して撮像する撮像素子とを備え、前記第１の偏光フィルタと前記第２の偏光フィルタの偏光方向が直交関係となっている撮像装置で撮像された無偏光画像と直交偏光画像を取得し、前記無偏光画像と前記直交偏光画像から鏡面反射成分の画像である鏡面反射画像を生成する鏡面反射画像生成部を備える
画像処理装置。
【請求項６】
前記鏡面反射画像生成部は、
前記直交偏光画像にゲインを乗算するゲイン乗算部と、
前記無偏光画像から、前記ゲイン乗算後の前記直交偏光画像を減算し、第１の差分画像を生成する減算部と、
前記第１の差分画像を所定の範囲の輝度値にクリッピングするクリッピング部と
を有する
請求項５に記載の画像処理装置。
【請求項７】
前記鏡面反射画像生成部により生成された前記鏡面反射画像を用いて、肌のテカリを解析するテカリ解析部をさらに備える
請求項５または６に記載の画像処理装置。
【請求項８】
前記テカリ解析部は、
前記鏡面反射画像から、被評価者の皮脂量を示す画像であるテカリ画像を算出するテカリ画像算出部を有する
請求項７に記載の画像処理装置。
【請求項９】
前記テカリ解析部は、
前記鏡面反射画像から、被評価者の皮脂量を算出するテカリ量算出部を有する
請求項７または８に記載の画像処理装置。
【請求項１０】
前記テカリ解析部は、
前記テカリ量算出部により算出された前記皮脂量に基づいて、被評価者のテカリを評価するテカリ評価値を算出するテカリ評価部をさらに有する
請求項９に記載の画像処理装置。
【請求項１１】
前記テカリ解析部による被評価者の肌のテカリの解析結果を提示する結果提示部をさらに備え、
前記結果提示部は、前記解析結果として、被評価者の肌のテカリ画像と皮脂量を提示する
請求項７乃至１０のいずれかに記載の画像処理装置。
【請求項１２】
前記鏡面反射画像生成部の前段に設けられ、前記無偏光画像と前記直交偏光画像の輝度レベルを調整し、調整後の前記無偏光画像と前記直交偏光画像を前記鏡面反射画像生成部に供給する前処理部をさらに備える
請求項５乃至１１のいずれかに記載の画像処理装置。
【請求項１３】
無偏光成分の光を照射する無偏光発光部と、第１の偏光フィルタを介して所定の偏光成分の光を照射する偏光発光部と、前記無偏光発光部または前記偏光発光部により照射された被写体を第２の偏光フィルタを介して撮像する撮像素子とを備え、前記第１の偏光フィルタと前記第２の偏光フィルタの偏光方向が直交関係となっている撮像装置で撮像された無偏光画像と直交偏光画像を取得し、前記無偏光画像と前記直交偏光画像から鏡面反射成分の画像である鏡面反射画像を生成する
画像処理装置の画像処理方法。
【請求項１４】
無偏光成分の光を照射する無偏光発光部と、第１の偏光フィルタを介して所定の偏光成分の光を照射する偏光発光部と、前記無偏光発光部または前記偏光発光部により照射された被写体を第２の偏光フィルタを介して撮像する撮像素子とを備え、前記第１の偏光フィルタと前記第２の偏光フィルタの偏光方向が直交関係となっている撮像装置で撮像された無偏光画像と直交偏光画像を処理するコンピュータに、
前記無偏光画像と前記直交偏光画像から鏡面反射成分の画像である鏡面反射画像を生成する
処理を実行させるためのプログラム。
【請求項１５】
無偏光成分の光を照射する無偏光発光部と、第１の偏光フィルタを介して所定の偏光成分の光を照射する偏光発光部と、前記無偏光発光部または前記偏光発光部により照射された被写体を第２の偏光フィルタを介して撮像する撮像素子とを備え、前記第１の偏光フィルタと前記第２の偏光フィルタの偏光方向が直交関係となっている撮像装置で撮像された無偏光画像と直交偏光画像を取得し、前記無偏光画像と前記直交偏光画像から並行偏光成分の画像である並行偏光画像を生成する並行偏光画像生成部を備える
画像処理装置。
【請求項１６】
前記並行偏光画像生成部は、
ゲインを算出するゲイン算出部と、
前記直交偏光画像に前記ゲインを乗算するゲイン乗算部と、
前記無偏光画像から、前記ゲイン乗算後の前記直交偏光画像を減算し、第２の差分画像を生成する減算部と、
前記第２の差分画像に所定のオフセット値を加算するオフセット加算部と
を有する
請求項１５に記載の画像処理装置。
【請求項１７】
前記並行偏光画像生成部により生成された前記並行偏光画像を用いて、肌のきめを解析するきめ解析部をさらに備える
請求項１５または１６に記載の画像処理装置。
【請求項１８】
前記並行偏光画像生成部の前段に設けられ、前記無偏光画像と前記直交偏光画像の輝度レベルを調整し、調整後の前記無偏光画像と前記直交偏光画像を前記並行偏光画像生成部に供給する前処理部をさらに備える
請求項１５乃至１７のいずれかに記載の画像処理装置。
【請求項１９】
無偏光成分の光を照射する無偏光発光部と、第１の偏光フィルタを介して所定の偏光成分の光を照射する偏光発光部と、前記無偏光発光部または前記偏光発光部により照射された被写体を第２の偏光フィルタを介して撮像する撮像素子とを備え、前記第１の偏光フィルタと前記第２の偏光フィルタの偏光方向が直交関係となっている撮像装置で撮像された無偏光画像と直交偏光画像を取得し、前記無偏光画像と前記直交偏光画像から並行偏光成分の画像である並行偏光画像を生成する
画像処理装置の画像処理方法。
【請求項２０】
無偏光成分の光を照射する無偏光発光部と、第１の偏光フィルタを介して所定の偏光成分の光を照射する偏光発光部と、前記無偏光発光部または前記偏光発光部により照射された被写体を第２の偏光フィルタを介して撮像する撮像素子とを備え、前記第１の偏光フィルタと前記第２の偏光フィルタの偏光方向が直交関係となっている撮像装置で撮像された無偏光画像と直交偏光画像を処理するコンピュータに、
前記無偏光画像と前記直交偏光画像から並行偏光成分の画像である並行偏光画像を生成する
処理を実行させるためのプログラム。
【手続補正２】
【補正対象書類名】明細書
【補正対象項目名】００２９
【補正方法】変更
【補正の内容】
【００２９】
無偏光発光部４２Aと偏光発光部４２Bのそれぞれは、図２に示されるように、イメージセンサ４３に対して、点対称に配置されている。
【手続補正３】
【補正対象書類名】明細書
【補正対象項目名】００３０
【補正方法】変更
【補正の内容】
【００３０】
また、図２の例では、無偏光発光部４２Aと偏光発光部４２Bが、それぞれ４つずつ配置されているが、無偏光発光部４２Aと偏光発光部４２Bの個数は、この例に限られない。それぞれ少なくとも２つの無偏光発光部４２Aと偏光発光部４２Bが点対称に配置されていれば良く、また、それぞれ６つ以上の無偏光発光部４２Aと偏光発光部４２Bが点対称に配置されていてもよい。
【手続補正４】
【補正対象書類名】明細書
【補正対象項目名】００３１
【補正方法】変更
【補正の内容】
【００３１】
なお、明るさのムラをなくするため、無偏光発光部４２Aと偏光発光部４２Bのそれぞれを点対称に配置し、無偏光発光部４２Aと偏光発光部４２Bの個数を合わせるのが望ましいが、それ以外の配置としてもよい。
【手続補正５】
【補正対象書類名】明細書
【補正対象項目名】０１１０
【補正方法】変更
【補正の内容】
【０１１０】
ゲイン算出部９１は、ゲイン乗算部９２が直交偏光画像IPVPに対して乗算するゲインGainPPを算出する。このゲインGainPPは下記の考えに基づいて求めることができる。すなわち、無偏光画像ITPは、２色性反射モデルによると表面反射成分と内部反射成分から成る。表面反射成分は表面の微細構造および鏡面反射成分を含んでおり、比較的高域成分が支配的であるのに対し、内部反射成分は肌内部の色を表すため、低域成分が支配的である。そのため、以下の式（６）で算出されるゲインGainPPを求めることで、表面反射成分の画像を得ることができる。
【手続補正６】
【補正対象書類名】明細書
【補正対象項目名】０１７２
【補正方法】変更
【補正の内容】
【０１７２】
次に、ノイズ除去部１２３は、例えば、汗腺などの影響による高輝度領域や鏡面反射成分を除去するために、単一チャネル表皮画像に対して孤立点除去フィルタを適用する。この孤立点除去フィルタには、例えば、３×３画素のメディアンフィルタが用いられる。
【手続補正７】
【補正対象書類名】明細書
【補正対象項目名】０２１２
【補正方法】変更
【補正の内容】
【０２１２】
なお、Ri、Rjは、それぞれラベルｉおよびラベルｊの皮丘領域を表す。従って、式（１４）の右辺の分母は、全ての皮丘領域の組み合わせの形状の相違度の累積加算値となる。また、Ncompは、次式（１５）により求められ、皮丘領域の形状の比較数を表す。
【手続補正８】
【補正対象書類名】明細書
【補正対象項目名】０２９６
【補正方法】変更
【補正の内容】
【０２９６】
なお、本開示は以下のような構成も取ることができる。
（１）
無偏光成分の光を照射する無偏光発光部と、
第１の偏光フィルタを介して所定の偏光成分の光を照射する偏光発光部と、
前記無偏光発光部または前記偏光発光部により照射された被写体を第２の偏光フィルタを介して撮像する撮像素子と
を備え、
前記第１の偏光フィルタと前記第２の偏光フィルタの偏光方向は直交関係にあり、
前記撮像素子は、前記無偏光発光部により照射された被写体と、前記偏光発光部により照射された被写体を時分割で撮像し、その結果得られる無偏光画像と直交偏光画像を出力するように構成されている
撮像装置。
（２）
複数の前記無偏光発光部及び前記偏光発光部が、前記撮像素子を中心に、点対称に配置されている
前記（１）に記載の撮像装置。
（３）
複数の前記無偏光発光部及び前記偏光発光部が、前記撮像素子を中心に、円環状に配置されている
前記（１）または（２）に記載の撮像装置。
（４）
無偏光成分の光を照射する無偏光発光部と、
第１の偏光フィルタを介して所定の偏光成分の光を照射する偏光発光部と、
前記無偏光発光部または前記偏光発光部により照射された被写体を第２の偏光フィルタを介して撮像する撮像素子とを備え、前記第１の偏光フィルタと前記第２の偏光フィルタの偏光方向が直交関係となっている撮像装置が、
前記無偏光発光部により照射された被写体と、前記偏光発光部により照射された被写体を時分割で撮像し、無偏光画像と直交偏光画像を出力する
撮像装置の撮像方法。
（５）
無偏光成分の光を照射する無偏光発光部と、第１の偏光フィルタを介して所定の偏光成分の光を照射する偏光発光部と、前記無偏光発光部または前記偏光発光部により照射された被写体を第２の偏光フィルタを介して撮像する撮像素子とを備え、前記第１の偏光フィルタと前記第２の偏光フィルタの偏光方向が直交関係となっている撮像装置で撮像された無偏光画像と直交偏光画像を取得し、前記無偏光画像と前記直交偏光画像から鏡面反射成分の画像である鏡面反射画像を生成する鏡面反射画像生成部を備える
画像処理装置。
（６）
前記鏡面反射画像生成部は、
前記直交偏光画像にゲインを乗算するゲイン乗算部と、
前記無偏光画像から、前記ゲイン乗算後の前記直交偏光画像を減算し、第１の差分画像を生成する減算部と、
前記第１の差分画像を所定の範囲の輝度値にクリッピングするクリッピング部と
を有する
前記（５）に記載の画像処理装置。
（７）
前記鏡面反射画像生成部により生成された前記鏡面反射画像を用いて、肌のテカリを解析するテカリ解析部をさらに備える
前記（５）または（６）に記載の画像処理装置。
（８）
前記テカリ解析部は、
前記鏡面反射画像から、被評価者の皮脂量を示す画像であるテカリ画像を算出するテカリ画像算出部を有する
前記（７）に記載の画像処理装置。
（９）
前記テカリ解析部は、
前記鏡面反射画像から、被評価者の皮脂量を算出するテカリ量算出部を有する
前記（７）または（８）に記載の画像処理装置。
（１０）
前記テカリ解析部は、
前記テカリ量算出部により算出された前記皮脂量に基づいて、被評価者のテカリを評価するテカリ評価値を算出するテカリ評価部をさらに有する
前記（９）に記載の画像処理装置。
（１１）
前記テカリ解析部による被評価者の肌のテカリの解析結果を提示する結果提示部をさらに備え、
前記結果提示部は、前記解析結果として、被評価者の肌のテカリ画像と皮脂量を提示する
前記（７）乃至（１０）のいずれかに記載の画像処理装置。
（１２）
前記鏡面反射画像生成部の前段に設けられ、前記無偏光画像と前記直交偏光画像の輝度レベルを調整し、調整後の前記無偏光画像と前記直交偏光画像を前記鏡面反射画像生成部に供給する前処理部をさらに備える
前記（５）乃至（１１）のいずれかに記載の画像処理装置。
（１３）
無偏光成分の光を照射する無偏光発光部と、第１の偏光フィルタを介して所定の偏光成分の光を照射する偏光発光部と、前記無偏光発光部または前記偏光発光部により照射された被写体を第２の偏光フィルタを介して撮像する撮像素子とを備え、前記第１の偏光フィルタと前記第２の偏光フィルタの偏光方向が直交関係となっている撮像装置で撮像された無偏光画像と直交偏光画像を取得し、前記無偏光画像と前記直交偏光画像から鏡面反射成分の画像である鏡面反射画像を生成する
画像処理装置の画像処理方法。
（１４）
無偏光成分の光を照射する無偏光発光部と、第１の偏光フィルタを介して所定の偏光成分の光を照射する偏光発光部と、前記無偏光発光部または前記偏光発光部により照射された被写体を第２の偏光フィルタを介して撮像する撮像素子とを備え、前記第１の偏光フィルタと前記第２の偏光フィルタの偏光方向が直交関係となっている撮像装置で撮像された無偏光画像と直交偏光画像を処理するコンピュータに、
前記無偏光画像と前記直交偏光画像から鏡面反射成分の画像である鏡面反射画像を生成する
処理を実行させるためのプログラム。
（１５）
無偏光成分の光を照射する無偏光発光部と、第１の偏光フィルタを介して所定の偏光成分の光を照射する偏光発光部と、前記無偏光発光部または前記偏光発光部により照射された被写体を第２の偏光フィルタを介して撮像する撮像素子とを備え、前記第１の偏光フィルタと前記第２の偏光フィルタの偏光方向が直交関係となっている撮像装置で撮像された無偏光画像と直交偏光画像を取得し、前記無偏光画像と前記直交偏光画像から並行偏光成分の画像である並行偏光画像を生成する並行偏光画像生成部を備える
画像処理装置。
（１６）
前記並行偏光画像生成部は、
ゲインを算出するゲイン算出部と、
前記直交偏光画像に前記ゲインを乗算するゲイン乗算部と、
前記無偏光画像から、前記ゲイン乗算後の前記直交偏光画像を減算し、第２の差分画像を生成する減算部と、
前記第２の差分画像に所定のオフセット値を加算するオフセット加算部と
を有する
前記（１５）に記載の画像処理装置。
（１７）
前記並行偏光画像生成部により生成された前記並行偏光画像を用いて、肌のきめを解析するきめ解析部をさらに備える
前記（１５）または（１６）に記載の画像処理装置。
（１８）
前記並行偏光画像生成部の前段に設けられ、前記無偏光画像と前記直交偏光画像の輝度レベルを調整し、調整後の前記無偏光画像と前記直交偏光画像を前記並行偏光画像生成部に供給する前処理部をさらに備える
前記（１５）乃至（１７）のいずれかに記載の画像処理装置。
（１９）
無偏光成分の光を照射する無偏光発光部と、第１の偏光フィルタを介して所定の偏光成分の光を照射する偏光発光部と、前記無偏光発光部または前記偏光発光部により照射された被写体を第２の偏光フィルタを介して撮像する撮像素子とを備え、前記第１の偏光フィルタと前記第２の偏光フィルタの偏光方向が直交関係となっている撮像装置で撮像された無偏光画像と直交偏光画像を取得し、前記無偏光画像と前記直交偏光画像から並行偏光成分の画像である並行偏光画像を生成する
画像処理装置の画像処理方法。
（２０）
無偏光成分の光を照射する無偏光発光部と、第１の偏光フィルタを介して所定の偏光成分の光を照射する偏光発光部と、前記無偏光発光部または前記偏光発光部により照射された被写体を第２の偏光フィルタを介して撮像する撮像素子とを備え、前記第１の偏光フィルタと前記第２の偏光フィルタの偏光方向が直交関係となっている撮像装置で撮像された無偏光画像と直交偏光画像を処理するコンピュータに、
前記無偏光画像と前記直交偏光画像から並行偏光成分の画像である並行偏光画像を生成する
処理を実行させるためのプログラム。